(57)【要約】【課題】極性が異なる複数の放送信号を受信アンテナから放送受信機へ単一の信号ケーブルを用いて配信するための簡素な送信装置を提供する。【解決手段】送信装置３００は、所定極性の放送信号である第１アナログ信号を第１デジタル信号に変換する第１変換部としてのＡＤ変換器１３１と、前記所定極性とは異なる極性の放送信号である第２アナログ信号を第２デジタル信号に変換する第２変換部としてのＡＤ変換器１３２と、前記第１デジタル信号と前記第２デジタル信号の情報を含む第３デジタル信号を生成する生成部及び前記生成部によって生成された第３デジタル信号を送信する送信部含むデジタル送信Ｉ／Ｆ１４０、を備える。【選択図】図１
2018006821.tif 000002
【特許請求の範囲】
【請求項１】
所定極性の放送信号である第１アナログ信号を第１デジタル信号に変換する第１変換部と、
前記所定極性とは異なる極性の放送信号である第２アナログ信号を第２デジタル信号に変換する第２変換部と、
前記第１デジタル信号と前記第２デジタル信号の情報を含む第３デジタル信号を生成する生成部と、
前記生成部によって生成された前記第３デジタル信号を送信する送信部と、
を備える送信装置。
【請求項２】
前記第１アナログ信号及び前記第２アナログ信号の少なくとも一方を周波数変換する第３変換部を備え、
前記第１変換部及び前記第２変換部は、前記第３変換部によって周波数変換されたアナログ信号をデジタル信号に変換する、
請求項１に記載の送信装置。
【請求項３】
前記第１アナログ信号又は前記第２アナログ信号の所定周波数帯域のアナログ信号を通過させるフィルタを備え、
前記第３変換部は、前記フィルタによって通過されたアナログ信号を周波数変換する、
請求項２に記載の送信装置。
【請求項４】
前記生成部は、前記第１デジタル信号又は第２デジタル信号に関連する情報を含む第４デジタル信号を生成する、
請求項１から３の何れか１項に記載の送信装置。
【請求項５】
前記第４デジタル信号は、前記第１デジタル信号又は前記第２デジタル信号を変換した変換部を識別する信号を含む、
請求項４に記載の送信装置。
【請求項６】
前記第４デジタル信号は、前記第１デジタル信号又は前記第２デジタル信号の誤り訂正を行うための信号を含む、
請求項４又は５に記載の送信装置。
【請求項７】
前記第１デジタル信号及び前記第２デジタル信号を圧縮する圧縮部を備え、
前記生成部は、圧縮された各デジタル信号の情報を含む前記第３デジタル信号を生成する、
請求項１から６の何れか１項に記載の送信装置。
【請求項８】
前記第１デジタル信号及び前記第２デジタル信号を可逆圧縮する可逆圧縮部を備え、
前記生成部は、可逆圧縮された各デジタル信号の情報を含む前記第３デジタル信号を生成する、
請求項１から６の何れか１項に記載の送信装置。
【請求項９】
前記第１変換部及び前記第２変換部は、前記第１アナログ信号の時間波形及び前記第２アナログ信号の時間波形を、前記第１デジタル信号及び前記第２デジタル信号にそれぞれ変換する、
請求項１から８の何れか１項に記載の送信装置。
【請求項１０】
前記第１変換部及び前記第２変換部は、前記第１アナログ信号の周波数スペクトル及び前記第２アナログ信号の周波数スペクトルを、前記第１デジタル信号及び前記第２デジタル信号にそれぞれ変換する、
請求項１から８の何れか１項に記載の送信装置。
【請求項１１】
前記第１変換部及び前記第２変換部は、前記第１アナログ信号及び前記第２アナログ信号を、所定の信号雑音比に応じた分解能で、前記第１デジタル信号及び前記第２デジタル信号にそれぞれ変換する、
請求項１から１０の何れか１項に記載の送信装置。
【請求項１２】
所定極性の放送信号である第１アナログ信号及び前記所定極性とは異なる極性の放送信号である第２アナログ信号を基に生成されたデジタル信号を取得する取得部と、
前記デジタル信号から所定極性の放送信号である第１アナログ信号を基に生成された第１デジタル信号と前記所定極性とは異なる極性の放送信号である第２アナログ信号を基に生成された第２デジタル信号を抽出する抽出部と、
前記第１デジタル信号を出力する第１出力部と、
前記第２デジタル信号を出力する第２出力部と、
を備える受信装置。
【請求項１３】
前記第１出力部から出力された第１デジタル信号を前記第１アナログ信号に変換する第１変換部と、
前記第２出力部から出力された第２デジタル信号を前記第２アナログ信号に変換する第２変換部と、
を備える請求項１２に記載の受信装置。
【請求項１４】
所定極性の放送信号であるアナログ信号を第１デジタル信号に変換する第１ステップと、
前記所定極性とは異なる極性の放送信号であるアナログ信号を第２デジタル信号に変換する第２ステップと、
前記第１デジタル信号と前記第２デジタル信号を結合し、結合されたデジタル信号を送信する第３ステップと、
前記結合されたデジタル信号を受信して、前記第１デジタル信号及び前記第２デジタル信号を抽出する第４ステップと、
前記抽出された第１デジタル信号をアナログ信号に変換する第５ステップと、
前記抽出された第２デジタル信号をアナログ信号に変換する第６ステップとからなる、
放送信号処理方法。
【請求項１５】
所定極性の放送信号である第１アナログ信号を基に生成された第１デジタル信号及び前記所定極性とは異なる極性の放送信号である第２アナログ信号を基に生成された第２デジタル信号を取得する第１取得部と、
前記第１デジタル信号をアナログ信号に変換する第１変換部と、
前記第２デジタル信号をアナログ信号に変換する第２変換部と、
前記第１変換部及び前記第２変換部で変換されたアナログ信号の少なくとも一方から、少なくとも１つの放送信号を選択する選局部と、
を備える放送受信機。
【請求項１６】
前記所定極性の放送信号である第１アナログ信号及び前記所定極性とは異なる極性の放送信号である第２アナログ信号を基に生成されたデジタル信号を取得する第２取得部と、
前記デジタル信号から前記第１デジタル信号と前記第２デジタル信号を抽出する抽出部を備え、
前記第１取得部は、前記抽出部によって抽出された前記第１デジタル信号及び前記第２デジタル信号を取得する、
請求項１５に記載の放送受信機。
【発明の詳細な説明】
【技術分野】
【０００１】
本発明は、送信装置、受信装置、放送信号処理方法、及び放送受信機に関する。
【背景技術】
【０００２】
電波を効率的に利用するため、周波数帯域が重複しかつ偏波が異なる複数の放送波を多重して送出する偏波分割多重が、例えば衛星放送システムで検討されている。偏波分割多重された放送波は、受信アンテナにて偏波ごとの放送信号に分離され出力される。
【０００３】
分離された放送信号は、周波数帯域が重複しているため、例えば、各異なる信号ケーブルを用いて放送受信機に配信される。分離された放送信号を周波数変換し周波数分割多重することにより、単一の信号ケーブルを用いて配信する技術も知られている（例えば、特許文献１、２）。
【先行技術文献】
【特許文献】
【０００４】
【特許文献１】特許第３８１２５９９号公報
【特許文献２】特許第４８００５８８号公報
【発明の概要】
【発明が解決しようとする課題】
【０００５】
しかしながら、従来の技術によれば、次のような課題がある。
【０００６】
放送信号ごとに異なる複数の信号ケーブルを用いる場合、信号ケーブルの材料及び敷設作業に係るコストの増大、及び信号ケーブルを設置するためのスペースの無駄がある。
【０００７】
周波数分割多重を用いる場合、周波数変換や混合の操作で発生するイメージ信号に対する処置や周波数干渉の回避を検討する必要があり、システム設計の難度が高まる。また、周波数分割多重された信号の帯域は広く、外来の妨害波（以下、外乱とも言う）に対し脆弱であることから、当該外乱を排除するための検討がさらに必要になる懸念もある。
【０００８】
そこで、本発明は、例えば偏波分割多重された、極性が異なる複数の放送信号であるアナログ信号を、単一の信号ケーブルを用いて簡便に配信することができる送信装置、放送信号処理方法、及び当該送信装置に適合する受信装置、放送受信機を提供することを目的とする。
【課題を解決するための手段】
【０００９】
上記目的を達成するために、本発明の一態様に係る送信装置は、所定極性の放送信号である第１アナログ信号を第１デジタル信号に変換する第１変換部と、前記所定極性とは異なる極性の放送信号である第２アナログ信号を第２デジタル信号に変換する第２変換部と、前記第１デジタル信号と前記第２デジタル信号の情報を含む第３デジタル信号を生成する生成部と、前記生成部によって生成された前記第３デジタル信号を送信する送信部と、を備える。
【００１０】
このような構成によれば、放送信号である前記第１及び第２アナログ信号を、前記第１及び第２デジタル信号にそれぞれ変換し、前記第３デジタル信号に多重化した上で、前記第３デジタル信号を単一の信号ケーブルを用いて配信できる。前記第１及び第２アナログ信号をアナログ信号のままで周波数分割多重して単一の信号ケーブルで配信する場合と異なり、周波数変換や混合の操作で発生するイメージ信号に対する処置や周波数干渉の回避を考慮する必要がない。そのため、システム設計が簡素化される。また、外乱の影響を受けにくくなることで、外乱の排除がより容易になることも期待される。その結果、例えば偏波分割多重された、極性が異なる複数の放送信号であるアナログ信号を、単一の信号ケーブルを用いて簡便に配信することができる送信装置が得られる。
【００１１】
また、前記第１アナログ信号及び前記第２アナログ信号の少なくとも一方を周波数変換する第３変換部を備え、前記第１変換部及び前記第２変換部は、前記第３変換部によって周波数変換されたアナログ信号をデジタル信号に変換してもよい。
【００１２】
このような構成によれば、例えば、前記第１又は第２アナログ信号の周波数が前記第１又は第２変換部で変換できるアナログ信号の周波数より高い場合でも、前記第１又は第２アナログ信号をダウンコンバートすることによってデジタル信号に変換し、前述の効果を得ることができる。
【００１３】
また、前記第１アナログ信号又は前記第２アナログ信号の所定周波数帯域のアナログ信号を通過させるフィルタを備え、前記第３変換部は、前記フィルタによって通過されたアナログ信号を周波数変換してもよい。
【００１４】
このような構成によれば、例えば、前記第１又は第２アナログ信号の周波数帯域幅が前記第１又は第２変換部で変換できるアナログ信号の周波数帯域幅より広い場合でも、前記第１又は第２アナログ信号を周波数分割することによってデジタル信号に変換し、前述の効果を得ることができる。
【００１５】
また、前記生成部は、前記第１デジタル信号又は第２デジタル信号に関連する情報を含む第４デジタル信号を生成してもよい。
【００１６】
具体的に、前記第４デジタル信号は、前記第１デジタル信号又は前記第２デジタル信号を変換した変換部を識別する信号を含んでもよく、また、前記第１デジタル信号又は前記第２デジタル信号の誤り訂正を行うための信号を含んでもよい。
【００１７】
このような構成によれば、前記第１又は第２アナログ信号を変換した変換部が前記第４デジタル信号に含まれる前記信号によって区別できるので、前記第１又は第２アナログ信号の復元が容易になる。また、前記信号を用いて前記第１又は第２デジタル信号の誤り訂正を行うことによって、デジタル信号の外乱への耐性を向上できる。
【００１８】
また、前記第１デジタル信号及び前記第２デジタル信号を圧縮する圧縮部を備え、前記生成部は、圧縮された各デジタル信号の情報を含む前記第３デジタル信号を生成してもよい。
【００１９】
このような構成によれば、圧縮により前記第１及び第２デジタル信号が縮小され、効率的な伝送が可能になる。
【００２０】
また、前記第１デジタル信号及び前記第２デジタル信号を可逆圧縮する可逆圧縮部を備え、前記生成部は、可逆圧縮された各デジタル信号の情報を含む前記第３デジタル信号を生成してもよい。
【００２１】
このような構成によれば、圧縮によって生じる前記第１及び第２デジタル信号の劣化を考慮する必要がないので、システム設計が簡素化される。
【００２２】
また、前記第１変換部及び前記第２変換部は、前記第１アナログ信号の時間波形及び前記第２アナログ信号の時間波形を、前記第１デジタル信号及び前記第２デジタル信号にそれぞれ変換してもよい。
【００２３】
このような構成によれば、例えば、パルス符号変調などの周知の技術を用いて、前記第１及び第２アナログ信号を前記第１及び第２デジタル信号に変換することができる。
【００２４】
また、前記第１変換部及び前記第２変換部は、前記第１アナログ信号の周波数スペクトル及び前記第２アナログ信号の周波数スペクトルを、前記第１デジタル信号及び前記第２デジタル信号にそれぞれ変換してもよい。
【００２５】
このような構成によれば、例えば、フーリエ変換などの周知の技術を用いて、前記第１及び第２アナログ信号を前記第１及び第２デジタル信号に変換することができる。
【００２６】
また、前記第１変換部及び前記第２変換部は、前記第１アナログ信号及び前記第２アナログ信号を、所定の信号雑音比に応じた分解能で、前記第１デジタル信号及び前記第２デジタル信号にそれぞれ変換してもよい。
【００２７】
このような構成によれば、前記第１及び第２デジタル信号が占有する周波数帯域幅が抑えられることで、伝送の際のレベル減衰を軽減するとともに外乱への耐性を向上できる。
【００２８】
また、本発明の一態様に係る受信装置は、所定極性の放送信号である第１アナログ信号及び前記所定極性とは異なる極性の放送信号である第２アナログ信号を基に生成されたデジタル信号を取得する取得部と、前記デジタル信号から所定極性の放送信号である第１アナログ信号を基に生成された第１デジタル信号と前記所定極性とは異なる極性の放送信号である第２アナログ信号を基に生成された第２デジタル信号を抽出する抽出部と、前記第１デジタル信号を出力する第１出力部と、前記第２デジタル信号を出力する第２出力部と、を備える。
【００２９】
また、前記受信装置は、前記第１出力部から出力された第１デジタル信号を前記第１アナログ信号に変換する第１変換部と、前記第２出力部から出力された第２デジタル信号を前記第２アナログ信号に変換する第２変換部と、を備えてもよい。
【００３０】
このような構成によれば、前記送信装置と共に用いられ、前記送信装置から出力された前記第３デジタル信号から、極性ごとの放送信号に対応する第１及び第２アナログ信号又は第１及び第２デジタル信号を抽出する受信装置が得られる。
【００３１】
また、本発明の一態様に係る放送信号処理方法は、所定極性の放送信号であるアナログ信号を第１デジタル信号に変換する第１ステップと、前記所定極性とは異なる極性の放送信号であるアナログ信号を第２デジタル信号に変換する第２ステップと、前記第１デジタル信号と前記第２デジタル信号を結合し、結合されたデジタル信号を送信する第３ステップと、前記結合されたデジタル信号を受信して、前記第１デジタル信号及び前記第２デジタル信号を抽出する第４ステップと、前記抽出された第１デジタル信号をアナログ信号に変換する第５ステップと、前記抽出された第２デジタル信号をアナログ信号に変換する第６ステップとからなる。
【００３２】
このような方法によれば、放送信号である前記第１及び第２アナログ信号を、前記第１及び第２デジタル信号にそれぞれ変換し、前記第３デジタル信号に多重化した上で、前記第３デジタル信号を単一の信号ケーブルを用いて配信できる。前記第１及び第２アナログ信号をアナログ信号のままで周波数分割多重して単一の信号ケーブルで配信する場合と異なり、周波数変換や混合の操作で発生するイメージ信号に対する処置や周波数干渉の回避を考慮する必要がない。そのため、システム設計が簡素化される。また、外乱の影響を受けにくくなることで、外乱の排除がより容易になることも期待される。その結果、例えば偏波分割多重された、極性が異なる複数の放送信号であるアナログ信号、単一の信号ケーブルを用いて簡便に配信することができる放送信号処理方法が得られる。
【００３３】
また、本発明の一態様に係る放送受信機は、所定極性の放送信号である第１アナログ信号を基に生成された第１デジタル信号及び前記所定極性とは異なる極性の放送信号である第２アナログ信号を基に生成された第２デジタル信号を取得する第１取得部と、前記第１デジタル信号をアナログ信号に変換する第１変換部と、前記第２デジタル信号をアナログ信号に変換する第２変換部と、前記第１変換部及び前記第２変換部で変換されたアナログ信号の少なくとも一方から、少なくとも１つの放送信号を選択する選局部と、を備える。
【００３４】
また、本発明の一態様に係る受信装置は、前記所定極性の放送信号である第１アナログ信号及び前記所定極性とは異なる極性の放送信号である第２アナログ信号を基に生成されたデジタル信号を取得する第２取得部と、前記デジタル信号から前記第１デジタル信号と前記第２デジタル信号を抽出する抽出部を備え、前記第１取得部は、前記抽出部によって抽出された前記第１デジタル信号及び前記第２デジタル信号を取得してもよい。
【００３５】
このような構成によれば、前記送信装置と共に用いられ、前記送信装置から出力された前記第３デジタル信号から、極性ごとの放送信号に対応する第１及び第２アナログ信号又は第１及び第２デジタル信号を抽出し、選局を行う放送受信機が得られる。
【発明の効果】
【００３６】
本発明の送信装置及び放送信号処理方法によれば、放送信号である前記第１及び第２アナログ信号を、前記第１及び第２デジタル信号にそれぞれ変換し、前記第３デジタル信号に多重化した上で、前記第３デジタル信号を単一の信号ケーブルを用いて配信できる。前記第１及び第２アナログ信号をアナログ信号のままで周波数分割多重して単一の信号ケーブルで配信する場合と異なり、周波数変換や混合の操作で発生するイメージ信号に対する処置や周波数干渉の回避を考慮する必要がない。そのため、システム設計が簡素化される。また、外乱の影響を受けにくくなることで、外乱の排除がより容易になることも期待される。その結果、例えば偏波分割多重された、極性が異なる複数の放送信号であるアナログ信号を、単一の信号ケーブルを用いて簡便に配信することができる送信装置及び放送信号処理方法が得られる。
【００３７】
また、本発明の受信装置及び放送受信機によれば、前記送信装置と共に用いられ、前記送信装置から出力された前記第３デジタル信号から、極性ごとの放送信号に対応する第１及び第２アナログ信号又は第１及び第２デジタル信号を抽出する受信装置、及び、さらに選局を行う放送受信機が得られる。
【図面の簡単な説明】
【００３８】
【図１】実施の形態１に係る放送信号処理装置の機能的な構成の一例を示すブロック図である。
【図２】Ａ／Ｄ変換の分解能と量子化雑音との関係の一例を示す図である。
【図３】実施の形態１に係るデータストリームのフォーマットの一例を示す図である。
【図４Ａ】実施の形態１に係るデジタル送信Ｉ／Ｆの機能的な構成の一例を示すブロック図である。
【図４Ｂ】実施の形態１に係るデジタル受信Ｉ／Ｆの機能的な構成の一例を示すブロック図である。
【図５Ａ】実施の形態２に係る放送信号処理装置の要部の機能的な構成の一例を示すブロック図である。
【図５Ｂ】実施の形態２に係る放送信号処理装置の要部の機能的な構成の一例を示すブロック図である。
【図６Ａ】実施の形態３に係る放送信号処理装置の要部の機能的な構成の一例を示すブロック図である。
【図６Ｂ】実施の形態３に係る放送信号処理装置の要部の機能的な構成の一例を示すブロック図である。
【図７】実施の形態３に係る放送信号処理装置で処理される放送信号の周波数帯域の一例を示す図である。
【図８】実施の形態４に係る放送信号処理装置の機能的な構成の一例を示すブロック図である。
【図９】実施の形態４に係る放送信号処理装置の機能的な構成の他の一例を示すブロック図である。
【図１０】実施の形態５に係る放送信号処理装置の機能的な構成の一例を示すブロック図である。
【発明を実施するための形態】
【００３９】
以下、本発明の実施の形態について、図面を用いて詳細に説明する。なお、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、独立請求項に記載されていない構成要素については、任意の構成要素として説明される。各図は、必ずしも各寸法または各寸法比等を厳密に図示したものではない。
【００４０】
（実施の形態１）
実施の形態１に係る放送信号処理装置は、偏波分割多重された放送波から対応アンテナによって分離された複数の放送信号を単一の信号ケーブルを用いて配信するための信号処理を行う装置である。放送信号処理装置は、偏波が異なる同一周波数帯の複数の放送信号を、デジタルデータの形式で多重化して、受信アンテナから放送受信機へ伝達することを特徴とする。ここで、偏波が異なる複数の放送信号は、極性が異なる複数のアナログ信号の一例である。
【００４１】
図１は、実施の形態１に係る放送信号処理装置の機能的な構成の一例を示すブロック図である。図１には、放送信号処理装置１００とともに、受信アンテナ２１０、分配系２２０、及び放送受信機２３０が示されている。また、右旋アナログ信号及び左旋アナログ信号は、偏波が異なる同一周波数帯の放送信号の一例である。ここで、右旋アナログ信号及び左旋アナログ信号は、一例として、衛星放送の放送波に偏波分割多重されていてもよい。
【００４２】
受信アンテナ２１０は、右旋及び左旋アナログ信号が偏波分割多重された放送波を受信し、当該放送波から右旋及び左旋アナログ信号を分離し、分離された右旋及び左旋アナログ信号を各独立して出力する。一例として、受信アンテナ２１０は、衛星放送受信用のパラボラアンテナであってもよい。ここで、前記右旋アナログ信号は、所定極性の放送信号である第１アナログ信号の一例ではり、前記左旋アナログ信号は、前記所定極性とは異なる極性の放送信号である第２アナログ信号の一例である。
【００４３】
分配系２２０は、アンテナで受信後の放送信号を伝送するシステムである。分配系２２０は、信号ケーブル２２１及び分配器２２２を有し、前記放送信号を複数の場所に分配する。一例として、分配系２２０は、集合住宅の共聴システムであってもよい。また、信号ケーブル２２１は、同軸ケーブル又は光ケーブルで構成されてもよい。
【００４４】
放送受信機２３０は、放送信号を取得し映像音声信号にデコードする一般的な受信器である。放送受信機２３０は、偏波が異なる同一周波数帯の複数の放送信号を取得するために、例えば、偏波ごとに独立した信号入力端子を有しているものとする。一例として、放送受信機２３０は、デジタルテレビ、レコーダー、又はセットトップボックスであってもよい。
【００４５】
放送信号処理装置１００は、送信装置３００と受信装置４００とで構成される。放送信号処理装置１００は、例えば、デジタル信号プロセッサ又は専用のハードウェア回路、若しくはそれらの組み合わせにより構成されてもよい。
【００４６】
送信装置３００は、複数のアナログデジタル（Ａ／Ｄ）変換器１３１、１３２と、デジタル送信インタフェース（Ｉ／Ｆ）１４０と、を有する。複数のＡ／Ｄ変換器１３１、１３２は、偏波分割多重された放送波から分離された複数の放送信号を取得し、複数のデジタルデータに変換する。デジタル送信Ｉ／Ｆ１４０は、複数のＡ／Ｄ変換器１３１、１３２で変換された前記複数のデジタルデータを単一のデータストリームに多重化して分配系２２０へ出力する。
【００４７】
ここで、Ａ／Ｄ変換器１３１、１３２は、それぞれ、送信装置における第１変換部及び第２変換部の一例であり、デジタル送信Ｉ／Ｆ１４０は、生成部及び送信部の一例である。また、前記複数のデジタルデータは、第１のデジタル信号及び第２のデジタル信号の一例であり、前記単一のデータストリームは、第３のデジタル信号の一例である。
【００４８】
受信装置４００は、デジタル受信Ｉ／Ｆ１５０と、複数のデジタルアナログ（Ｄ／Ａ）変換器１６１、１６２と、を有する。デジタル受信Ｉ／Ｆ１５０は、分配系２２０から前記データストリームを取得し、取得した前記データストリームから前記複数のデジタルデータを復元する。複数のＤ／Ａ変換器１６１、１６２は、デジタル受信Ｉ／Ｆ１５０で復元された前記複数のデジタルデータを前記複数の放送信号に変換して放送受信機２３０へ出力する。ここで、デジタル受信Ｉ／Ｆ１５０は、取得部、抽出部、第１出力部、及び第２出力部の一例であり、Ｄ／Ａ変換器１６１、１６２は、それぞれ、受信装置における第１変換部及び第２変換部の一例である。
【００４９】
送信装置３００と受信装置４００とは、分配系２２０の入力端と出力端とにそれぞれ分離して配置される。送信装置３００及び受信装置４００の実装は、特には限定されないが、一例として、送信装置３００は、独立した装置として受信アンテナ２１０と分配系２２０との間に配置されてもよく、受信アンテナ２１０又は分配系２２０に内蔵されてもよい。また、受信装置４００は、独立した装置として分配系２２０と放送受信機２３０との間に配置されてもよく、分配系２２０又は放送受信機２３０に内蔵されてもよい。分配系２２０が集合住宅の共聴システムである具体例では、送信装置３００は、共用設備として受信アンテナ２１０の近傍に設置され、受信装置４００は、戸別設備として部屋ごとに設置されてもよい。
【００５０】
このように構成される放送信号処理装置１００によれば、偏波分割多重された放送波から分離された複数の放送信号は、デジタルデータに変換され単一のデータストリームに多重化されるので、単一の信号ケーブルを用いて配信できる。
【００５１】
そのため、分配系２２０に偏波ごとの複数の信号ケーブルを設ける必要がない。また、前記複数の放送信号をアナログ信号のままで周波数分割多重して単一の信号ケーブルで配信する場合と比べて、周波数変換や混合の操作で発生するイメージ信号に対する処置や周波数干渉の回避を考慮する必要がないので、システム設計が簡素化される。さらには、外乱の影響を受けにくくなることで、外乱の排除がより容易になることも期待される。
【００５２】
その結果、偏波分割多重された放送波を受信後、単一の信号ケーブルを用いて簡便に配信することができる放送信号処理装置が得られる。
【００５３】
放送信号処理装置１００の細部について説明を続ける。
【００５４】
放送信号処理装置１００において放送信号をデジタルデータに変換する際、Ａ／Ｄ変換器１３１、１３２でのＡ／Ｄ変換の分解能の選択に応じて、変換後のデジタルデータのビットレートを抑えることができる。ビットレートを抑え、デジタルデータが占有する周波数帯域幅を縮小することで、データ配信時のレベル減衰を軽減し、かつ外乱の影響をさらに受けにくくすることができる。
【００５５】
具体的に、Ａ／Ｄ変換の分解能は、次のように選択してもよい。
【００５６】
図２は、一般的な量子化雑音モデルに基づく、Ａ／Ｄ変換の分解能［ビット数］と信号雑音比（ＳＮＲ）［ｄＢ］との関係を示す図である。例えば正弦波の場合、Ａ／Ｄ変換のＳＮＲ［ｄＢ］は、１．７６［ｄＢ］＋６．０２［ｄＢ］×分解能［ビット数］で表される。実際にはＡ／Ｄ変換器のノイズフロアなど、装置自体のノイズも考慮する必要があるが、基本的には、Ａ／Ｄ変換器のＳＮＲと分解能との間には上式で示される線形関係がある。
【００５７】
放送受信機２３０が放送信号をエラーなく受信することのできる最低限のＳＮＲを所要ＳＮＲと呼び、所要ＳＮＲは放送受信機２３０の性能、及び受信しようとしている放送信号の種類により決まる。例えば、国内地上波デジタル放送を一般的な放送受信機で受信する場合の所要ＳＮＲは、約２０ｄＢである。
【００５８】
放送信号処理装置１００は所要ＳＮＲを満たす必要がある。そのため、所要ＳＮＲが例えば２０ｄＢである場合、Ａ／Ｄ変換器１３１、１３２には、少なくとも２０ｄＢのＳＮＲが必要であり、上式によれば、Ａ／Ｄ変換の分解能を４ビット以上にする必要がある。実際には、放送電波環境やアンテナなどで生じるノイズの余裕を持たせた分解能を選択する必要はあるが、所要ＳＮＲに基づいて分解能を選択することで、分解能を無駄に上げる必要がなくなり、最適なビット数を選択することができる。
【００５９】
なお、Ａ／Ｄ変換器１３１、１３２は、前記複数の放送信号の時間波形を前記複数のデジタルデータに変換してもよい。信号の時間波形とは、信号レベルの瞬時値の時系列のことを言う。この場合、Ａ／Ｄ変換器１３１、１３２は、例えば、パルス符号変調などの周知の技術を用いて、前記複数の放送信号を前記複数のデジタルデータに変換することができる。例えば、前記複数の放送信号は、個々の放送信号のレベルを、当該放送信号の最高周波数の２倍の周波数でサンプリングして得られたデジタル値の系列に変換される。１サンプルあたりのビット数は、前述の所要ＳＮＲを満たす数が用いられる。
【００６０】
また、Ａ／Ｄ変換器１３１、１３２は、前記複数の放送信号の周波数スペクトルを前記複数のデジタルデータに変換してもよい。信号の周波数スペクトルとは、信号の所定の時間窓ごとに含まれる周波数成分のことを言う。この場合、Ａ／Ｄ変換器１３１、１３２は、例えば、フーリエ変換などの周知の技術を用いて、前記複数の放送信号を前記複数のデジタルデータに変換することができる。例えば、前記複数の放送信号は、個々の放送信号の所定の時間窓ごとに含まれる周波数成分の大きさを表すデジタル値に変換される。
【００６１】
このようにして複数の放送信号から変換された複数のデジタルデータは、デジタル送信Ｉ／Ｆ１４０によって、単一のデータストリームに多重化され、分配系２２０で伝送される。
【００６２】
図３は、データストリームのフォーマットの一例を示す図である。データストリーム５００は、複数のフレーム５１０を連ねてなり、フレーム５１０のデータフィールド５１３には、前記複数のデジタルデータを所定サイズに分割して得られる１つの部分データが格納される。このようなフォーマットに従って、前記複数のデジタルデータは、フレームごとに効率的に処理できるデータストリーム５００に多重化される。
【００６３】
フレーム５１０のヘッダフィールド５１１には、フレームの先頭を示すスタート符号が格納されてもよい。ヘッダフィールド５１１に格納されたスタート符号よって、個々のフレームの分離が容易になる。
【００６４】
フレーム５１０の送信元フィールド５１２には、当該フレームに格納されているデジタルデータを生成したＡ／Ｄ変換器を識別する送信元識別情報が格納されてもよい。送信元フィールド５１２に格納された送信元識別情報によって、当該フレームのデータフィールド５１３にどのデジタルデータの部分データが格納されているか直ちに特定されるので、元のデジタルデータの復元が容易になる。
【００６５】
フレーム５１０のパリティフィールド５１４には、当該フレームの誤り訂正を行うためのパリティ符号が格納されてもよい。パリティフィールド５１４に格納されたパリティ符号によって当該フレームの誤り訂正を行うことで、前記複数のデジタルデータの外乱への耐性を向上できる。
【００６６】
図４Ａは、デジタル送信Ｉ／Ｆ１４０の機能的な構成の一例を示すブロック図である。
【００６７】
デジタル送信Ｉ／Ｆ１４０は、マルチプレクサ１４１と、物理層アダプタ１４２と、を有する。
【００６８】
マルチプレクサ１４１は、Ａ／Ｄ変換器１３１、１３２から複数のデジタルデータを取得して所定サイズごとの部分データに分割し、当該部分データを用いて、例えば図３に示すフォーマットのデータストリームを表す多重化デジタルデータを生成する。マルチプレクサ１４１は、当該多重化デジタルデータに、前述したスタート符号、送信元識別情報、及びパリティ符号を格納してもよい。マルチプレクサ１４１は、生成した多重化デジタルデータを、物理層アダプタ１４２へ出力する。
【００６９】
物理層アダプタ１４２は、多重化デジタルデータに対応するデジタル信号（つまり、データストリーム）を、分配系２２０へ出力する。物理層アダプタ１４２は、例えば、分配系２２０の信号ケーブル２２１が同軸ケーブルであるか光ケーブルであるかに応じて、同軸トランシーバ又は光トランシーバで構成され、データストリームを表す電気信号又は光信号を信号ケーブル２２１へ出力してもよい。つまり、物理層アダプタ１４２は、データストリームを表すデジタル信号を、分配系２２０の構成に応じて適した形式で出力する。
【００７０】
限定されない一例として、物理層アダプタ１４２及び分配系２２０は、ＳＤＩ（Ｓｅｒｉａｌ  Ｄｉｇｉｔａｌ  Ｉｎｔｅｒｆａｃｅ）規格に従ってデータストリームを出力及び伝送してもよい。
【００７１】
データストリームは、分配系２２０で分配された後、デジタル受信Ｉ／Ｆ１５０によって、元の複数のデジタルデータに復元される。
【００７２】
図４Ｂは、デジタル受信Ｉ／Ｆ１５０の機能的な構成の一例を示すブロック図である。
【００７３】
デジタル受信Ｉ／Ｆ１５０は、物理層アダプタ１５１と、デマルチプレクサ１５２と、を有する。
【００７４】
物理層アダプタ１５１は、分配系２２０からデータストリームを取得し、取得したデータストリームを表す多重化デジタルデータをデマルチプレクサ１５２へ出力する。物理層アダプタ１５１は、物理層アダプタ１４２と同様、分配系２２０の構成に応じて、同軸トランシーバ又は光トランシーバで構成されてもよい。
【００７５】
デマルチプレクサ１５２は、多重化デジタルデータの各フレームから部分データを抽出して結合することにより元の複数のデジタルデータを復元し、復元した各デジタルデータをＤ／Ａ変換器１６１、１６２の対応する一方に出力する。
【００７６】
各フレームにスタート符号が格納されている場合、デマルチプレクサ１５２は、当該スタート符号を検出することにより、各フレームの範囲を特定してもよい。
【００７７】
また、各フレームに送信元識別情報が格納されている場合、デマルチプレクサ１５２は、送信元識別情報が同一のフレームに含まれる部分データ同士を結合して、元のデジタルデータを復元してもよい。送信元識別情報は、デジタルデータのフレームへの格納順序をあらかじめ取り決めておくことで、省略することもできる。
【００７８】
また、各フレームにパリティ符号が格納されている場合、デマルチプレクサ１５２は、当該パリティ符号を用いて当該フレームの誤り訂正を行い、誤り訂正後の部分データを結合して、元のデジタルデータを復元してもよい。
【００７９】
データストリームから復元された複数のデジタルデータは、Ｄ／Ａ変換器１６１、１６２によって元の複数の放送信号、つまり偏波分割多重された放送波から分離された複数の放送信号に変換され、放送受信機２３０へ出力される。
【００８０】
以上説明したように、放送信号処理装置１００によれば、偏波分割多重された放送波から分離された複数の放送信号を、デジタルデータに変換し単一のデータストリームに多重化して伝送する。その結果、偏波分割多重された放送波を受信後、単一の信号ケーブルを用いて簡便に配信することができる放送信号処理装置が得られる。
【００８１】
（実施の形態２）
実施の形態２に係る放送信号処理装置は、実施の形態１に係る放送信号処理装置１００に、複数の放送信号をダウンコンバートするための周波数変換器を追加したものである。以下では、実施の形態１と同一の事項については適宜説明を省略し、主として実施の形態２で追加される事項を説明する。
【００８２】
図５Ａは、実施の形態２に係る放送信号処理装置の送信装置の要部１０１ａの機能的な構成の一例を示すブロック図である。図５Ａに示される要部１０１ａは、図１の放送信号処理装置１００の対応部分と比べて、Ａ／Ｄ変換器１３１、１３２の前段に周波数変換器１２１、１２２が追加される点が異なる。ここで、周波数変換器１２１、１２２は、第３変換部の一例である。
【００８３】
図５Ａに例示されている右旋アナログ信号及び左旋アナログ信号は、一例として、約１ＧＨｚから約２ＧＨｚまでの周波数帯域をそれぞれ有しているものとする。従って、単純には、最高で約２ＧＨｚのアナログ信号をＡ／Ｄ変換する必要がある。
【００８４】
そこで、複数の放送信号を、周波数変換器１２１、１２２でダウンコンバートする。例えば、右旋アナログ信号及び左旋アナログ信号を、それぞれ、０から約１ＧＨｚまでの周波数帯域へダウンコンバートする。そして、ダウンコンバート後の複数の放送信号を、Ａ／Ｄ変換器１３１、１３２でＡ／Ｄ変換する。
【００８５】
そうすることで、最高周波数に関するＡ／Ｄ変換器の性能要件が緩和され、より簡素で安価なＡ／Ｄ変換器１３１、１３２の利用が可能になる。また、ビットレートを抑え、デジタルデータが占有する周波数帯域幅を縮小することで、データ配信時のレベル減衰を軽減し、かつ外乱の影響をさらに受けにくくする効果が得られる。
【００８６】
なお、周波数変換器１２１、１２２は、何れか一方のみを設けてもよく、例えば、右旋アナログ信号及び左旋アナログ信号のうち、最高周波数がより高い一方のみに対応して設けてもよい。
【００８７】
送信装置の要部１０１ａに対応して、受信装置での構成を次のように変更してもよい。
【００８８】
図５Ｂは、実施の形態２に係る放送信号処理装置の受信装置の要部１０１ｂの機能的な構成の一例を示すブロック図である。図５Ｂに示される要部１０１ｂは、図１の放送信号処理装置１００の対応部分と比べて、Ｄ／Ａ変換器１６１、１６２の後段に周波数変換器１７１、１７２が追加される点が異なる。
【００８９】
送信装置の要部１０１ａにおいて放送信号はダウンコンバートされているので、Ｄ／Ａ変換器１６１、１６２からは、ダウンコンバート後の周波数帯域の放送信号が出力される。そこで、当該放送信号を、周波数変換器１７１、１７２でアップコンバートすることによって、元の周波数帯域の放送信号を生成して、放送受信機２３０に供給する。これにより、放送受信機２３０をそのまま利用しつつ、ダウンコンバートによる効果を得ることができる。
【００９０】
なお、アップコンバートは、周波数変換器１７１、１７２には限られず、例えば、Ｄ／Ａ変換器１６１、１６２でのオーバーサンプリングなど、他の方法で行うこともできる。また、放送受信機を、ダウンコンバートされた周波数帯域の放送信号で動作するよう変更することで、アップコンバートを省略することもできる。
【００９１】
（実施の形態３）
実施の形態３に係る放送信号処理装置は、実施の形態１に係る放送信号処理装置１００に、複数の放送信号の各々を複数の成分信号に周波数分割するための複数のフィルタ、及び周波数分割後の各成分信号をダウンコンバートするための周波数変換器を追加したものである。以下では、実施の形態１と同一の事項については適宜説明を省略し、主として実施の形態３で追加される事項を説明する。
【００９２】
図６Ａは、実施の形態３に係る放送信号処理装置の送信装置の要部１０２ａの機能的な構成の一例を示すブロック図である。図６Ａに示される要部１０２ａは、図１の放送信号処理装置１００の対応部分と比べて、Ａ／Ｄ変換器１３１ａ、１３１ｂ、１３２ａ、１３２ｂが変更され、フィルタ１１１ａ、１１１ｂ、１１２ａ、１１２ｂと周波数変換器１２１ａ、１２１ｂ、１２２ａ、１２２ｂとが追加される点で異なる。
【００９３】
図６Ａに例示されている右旋アナログ信号及び左旋アナログ信号は、図５Ａと同様、それぞれ、約１ＧＨｚから約２ＧＨｚまでの周波数帯域を有しているものとする。従って、単純には、周波数帯域幅が約１ＧＨｚのアナログ信号をＡ／Ｄ変換する必要がある。
【００９４】
そこで、複数の放送信号の各々を、まず、フィルタ１１１ａ、１１１ｂ、１１２ａ、１１２ｂで周波数帯域が互いに異なる複数の成分信号に分割する。例えば、右旋アナログ信号を、周波数帯域の略下半分（約１ＧＨｚから約１．５ＧＨｚまで）の成分信号１ａと略上半分（約１．５ＧＨｚから約２ＧＨｚまで）の成分信号１ｂとに周波数分割する。左旋アナログ信号放送信号も同様に、成分信号２ａと成分信号２ｂとに周波数分割する。
【００９５】
次に、複数の成分信号を、周波数変換器１２１ａ、１２１ｂ、１２２ａ、１２２ｂでダウンコンバートする。例えば、成分信号１ａ、１ｂ、２ａ、２ｂを、それぞれ、０から約０．５ＧＨｚまでの周波数帯域へダウンコンバートする。そして、ダウンコンバート後の複数の成分信号を、Ａ／Ｄ変換器１３１ａ、１３１ｂ、１３２ａ、１３２ｂでＡ／Ｄ変換する。
【００９６】
そうすることで、最高周波数及び帯域幅に関するＡ／Ｄ変換器の性能要件が緩和されるので、より簡素で安価なＡ／Ｄ変換器１３１ａ、１３１ｂ、１３２ａ、１３２ｂの利用が可能になる。また、ビットレートを抑え、デジタルデータが占有する周波数帯域幅を縮小することで、データ配信時のレベル減衰を軽減し、かつ外乱の影響をさらに受けにくくする効果が得られる。
【００９７】
送信装置の要部１０２ａに対応して、受信装置での構成を次のように変更してもよい。
【００９８】
図６Ｂは、実施の形態３に係る放送信号処理装置の受信装置の要部１０２ｂの機能的な構成の一例を示すブロック図である。図６Ｂに示される要部１０２ｂは、図１の放送信号処理装置１００の対応部分と比べて、Ｄ／Ａ変換器１６１ａ、１６１ｂ、１６２ａ、１６２ｂが変更され、周波数変換器１７１ａ、１７１ｂ、１７２ａ、１７２ｂと、混合器１８１、１８２とが追加される点で異なる。
【００９９】
送信装置の要部１０２ａにおいて放送信号は周波数分割されかつダウンコンバートされているので、Ｄ／Ａ変換器１６１ａ、１６１ｂ、１６２ａ、１６２ｂからは、周波数分割及びダウンコンバート後の周波数帯域の放送信号が出力される。
【０１００】
そこで、当該放送信号を、周波数変換器１７１ａ、１７１ｂ、１７２ａ、１７２ｂでアップコンバートし、混合器１８１、１８２で混合することによって、元の周波数帯域の放送信号を生成して、放送受信機２３０に供給する。これにより、放送受信機２３０をそのまま利用しつつ、周波数分割及びダウンコンバートによる効果を得ることができる。
【０１０１】
なお、アップコンバートは、周波数変換器１７１ａ、１７１ｂ、１７２ａ、１７２ｂには限られず、例えば、Ｄ／Ａ変換器１６１ａ、１６１ｂ、１６２ａ、１６２ｂでのオーバーサンプリングなど、他の方法で行ってもよい。
【０１０２】
また、周波数帯域の分割数は２に限られるものではなく、３以上であってもよい。また、分割後の成分信号のＡ／Ｄ変換の分解能についても、先述と同様、所要ＳＮＲに基づいて最適なビット数を選択することができる。
【０１０３】
ここで、放送信号処理装置１００によって処理される放送信号の周波数帯域の具体的な数値例を示す。
【０１０４】
図７は、当該周波数帯域の一例を示す図である。図７に示されるように、右旋アナログ信号の成分信号１ａは１０３２ＭＨｚから１４８９ＭＨｚまでの周波数帯域に割り当てられ、成分信号１ｂは１５９３ＭＨｚから２０７３ＭＨｚまでの周波数帯域に割り当てられている。成分信号１ａ、１ｂを混合した右旋アナログ信号が、受信アンテナから取り出される。
【０１０５】
右旋アナログ信号は、放送信号処理装置１００の送信装置で、０ＭＨｚから４５７ＭＨｚまでの周波数帯域の成分信号１ａと、０ＭＨｚから４８０ＭＨｚまでの周波数帯域の成分信号１ｂとに、周波数分割及びダウンコンバートされる。
【０１０６】
また、一例として、左旋アナログ信号の成分信号２ａは１０５２ＭＨｚから１５０９ＭＨｚまでの周波数帯域に割り当てられ、成分信号２ｂは１５７３ＭＨｚから２０５３ＭＨｚまでの周波数帯域に割り当てられている。成分信号２ａ、２ｂを混合した左旋アナログ信号が、受信アンテナから取り出される。
【０１０７】
左旋アナログ信号は、放送信号処理装置１００の送信装置で、０ＭＨｚから４５７ＭＨｚまでの周波数帯域の成分信号２ａと、０ＭＨｚから４８０ＭＨｚまでの周波数帯域の成分信号２ｂとに、周波数分割及びダウンコンバートされる。
【０１０８】
放送信号処理装置１００の受信装置では、成分信号１ａ、１ｂをアップコンバート及び信号混合することにより、元の右旋アナログ信号が復元される。また、成分信号２ａ、２ｂをアップコンバート及び信号混合することにより、元の左旋アナログ信号が復元される。
【０１０９】
（実施の形態４）
実施の形態４に係る放送信号処理装置は、構成要素の少なくとも一部を放送受信機に内蔵したものである。
【０１１０】
図８は、実施の形態４に係る放送信号処理装置１００の機能的な構成の一例を示すブロック図である。図８に示される放送信号処理装置１００では、Ｄ／Ａ変換器１６１、１６２が放送受信機２３１に内蔵される。つまり、放送受信機２３１は、前述した一般的な放送受信機２３０とＤ／Ａ変換器１６１、１６２とを含む。放送受信機２３１は、偏波ごとのデジタルデータを、各独立した信号入力端子２３３、２３４で取得し、映像音声信号にデコードする。
【０１１１】
ここで、信号入力端子２３３、２３４が、所定極性の放送信号である第１アナログ信号を基に生成された第１デジタル信号及び所定極性とは異なる極性の放送信号である第２アナログ信号を基に生成された第２デジタル信号を取得する第１取得部の一例である。また、Ｄ／Ａ変換器１６１が、前記第１デジタル信号をアナログ信号に変換する第１変換部の一例であり、Ｄ／Ａ変換器１６２が、前記第２デジタル信号をアナログ信号に変換する第２変換部の一例である。また、放送受信機２３０には、前記第１変換部及び前記第２変換部で変換されたアナログ信号の少なくとも一方から、少なくとも１つの放送信号を選択する選局部が含まれている。
【０１１２】
図９は、実施の形態４に係る放送信号処理装置１００の機能的な構成の他の一例を示すブロック図である。図９に示される放送信号処理装置１００では、デジタル受信Ｉ／Ｆ１５０及びＤ／Ａ変換器１６１、１６２が放送受信機２３２に内蔵される。つまり、放送受信機２３２は、前述した一般的な放送受信機２３０と、デジタル受信Ｉ／Ｆ１５０と、Ｄ／Ａ変換器１６１、１６２とを含む。放送受信機２３２は、偏波ごとのデジタルデータが多重化されたデータストリームを、単一の信号入力端子２３５で取得し、映像音声信号にデコードする。
【０１１３】
ここで、信号入力端子２３５が、所定極性の放送信号である第１アナログ信号及び前記所定極性とは異なる極性の放送信号である第２アナログ信号を基に生成されたデジタル信号を取得する第２取得部の一例である。また、デジタル受信Ｉ／Ｆ１５０が、前記デジタル信号から前記第１デジタル信号と前記第２デジタル信号を抽出する抽出部の一例である。前記第１取得部の一例である信号入力端子２３３、２３４は、前記抽出部によって抽出された前記第１デジタル信号及び前記第２デジタル信号を取得する。
【０１１４】
このような構成によれば、分配系２２０から取得された信号を処理するための構成要素の少なくとも一部が放送受信機２３１、２３２に内蔵されるので、分配系２２０と放送受信機２３１、２３２との間に独立して配置する必要がある外付け部品が削減され、放送信号処理装置１００の構成を簡素化できる。
【０１１５】
（実施の形態５）
実施の形態５に係る放送信号処理装置は、放送信号処理装置と放送受信機との接続を簡素化するものである。
【０１１６】
図１０は、実施の形態５に係る放送信号処理装置１０３の機能的な構成の一例を示すブロック図である。図１０に示される放送信号処理装置１０３は、図１の放送信号処理装置１００と比べて、受信装置４０３に周波数多重化器１９０が追加される点が異なる。
【０１１７】
周波数多重化器１９０は、Ｄ／Ａ変換器１６１、１６２で変換後の偏波ごとの放送信号を単一の多重化信号に周波数分割多重して、放送受信機２４０へ出力する。周波数多重化器１９０は、例えば、偏波ごとの放送信号を各異なる周波数帯域の放送信号に周波数変換する周波数変換器と、周波数変換後の放送信号を混合する混合器とで構成されてもよい。
【０１１８】
ここで、放送受信機２４０は、偏波ごとの放送信号を周波数分割多重した多重化信号を単一の信号入力端子で取得し、映像音声信号にデコードできるものとする。
【０１１９】
放送信号処理装置１０３によれば、前記多重化信号を、放送信号処理装置１０３から放送受信機２４０へ、単一の信号ケーブルで伝送できるので、放送信号処理装置１０３と放送受信機２４０との接続を簡素化できる。この構成は、周波数干渉が少ない室内での配線（特には放送受信機２４０の近傍での配線）を簡素化する上で有効である。
【０１２０】
以上、本発明の実施の形態に係る放送信号処理装置について説明したが、本発明は、個々の実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【０１２１】
例えば、放送信号処理装置における送信装置は、Ａ／Ｄ変換器１３１、１３２で変換後の複数のデジタルデータ（つまり、第１デジタル信号及び第２デジタル信号）を圧縮する圧縮部を備え、デジタル送信Ｉ／Ｆ１４０（つまり、生成部）は、圧縮された各デジタル信号の情報を含むデータストリーム（つまり、第３デジタル信号）を生成してもよい。
【０１２２】
また、放送信号処理装置における送信装置は、Ａ／Ｄ変換器１３１、１３２で変換後の複数のデジタルデータ（つまり、第１デジタル信号及び第２デジタル信号）を可逆圧縮する可逆圧縮部を備え、デジタル送信Ｉ／Ｆ１４０（つまり、生成部）は、可逆圧縮された各デジタル信号の情報を含むデータストリーム（つまり、第３デジタル信号）を生成してもよい。
【０１２３】
ここで、前記圧縮及び前記可逆圧縮には、周知の圧縮方法を適宜用いることとし、具体的な圧縮方法は特には限定しない。
【０１２４】
このような構成によれば、圧縮により前記第１及び第２デジタル信号が縮小され、効率的な伝送が可能になる。特に、可逆圧縮を用いる場合、圧縮によって生じる前記第１及び第２デジタル信号の劣化を考慮する必要がないので、システム設計が簡素化される。
【産業上の利用可能性】
【０１２５】
本発明は、放送信号処理装置として、例えば、集合住宅や各種施設などに設けられる共聴システムに利用できる。
【符号の説明】
【０１２６】
１００、１０３  放送信号処理装置
１０１ａ、１０１ｂ、１０２ａ、１０２ｂ  放送信号処理装置の要部
１１１ａ、１１１ｂ、１１２ａ、１１２ｂ  フィルタ
１２１、１２１ａ、１２１ｂ、１２２、１２２ａ、１２２ｂ  周波数変換器
１３１、１３１ａ、１３１ｂ、１３２、１３２ａ、１３２ｂ  Ａ／Ｄ変換器
１４０    デジタル送信Ｉ／Ｆ
１４１    マルチプレクサ
１４２  物理層アダプタ
１５０  デジタル受信Ｉ／Ｆ
１５１  物理層アダプタ
１５２  デマルチプレクサ
１６１、１６１ａ、１６１ｂ、１６２、１６２ａ、１６２ｂ  Ｄ／Ａ変換器
１７１、１７１ａ、１７１ｂ、１７２、１７２ａ、１７２ｂ  周波数変換器
１８１、１８２  混合器
１９０  周波数多重化器
２１０  受信アンテナ
２２０  伝送系
２２０  分配系
２２１  信号ケーブル
２２２  分配器
２３０、２３１、２３２、２４０  放送受信機
２３３、２３４、２３５  信号入力端子
３００  送信装置
４００、４０３  受信装置
５００    データストリーム
５１０    フレーム
５１１    ヘッダフィールド
５１２    送信元フィールド
５１３    データフィールド
５１４    パリティフィールド
【図１】
2018006821.tif 000003
【図２】
2018006821.tif 000004
【図３】
2018006821.tif 000005
【図４Ａ】
2018006821.tif 000006
【図４Ｂ】
2018006821.tif 000007
【図５Ａ】
2018006821.tif 000008
【図５Ｂ】
2018006821.tif 000009
【図６Ａ】
2018006821.tif 000010
【図６Ｂ】
2018006821.tif 000011
【図７】
2018006821.tif 000012
【図８】
2018006821.tif 000013
【図９】
2018006821.tif 000014
【図１０】
2018006821.tif 000015